(57)【特許請求の範囲】
【請求項１】
原稿面をライン状に照明する照明手段、前記照射された原稿面からの反射光を結像する集光手段、前記結像された光を受光して光電変換するライン状に配列した複数の受光素子を有し、原稿面の画像データを受光素子への光入力により検知する画像読取装置において、前記照明手段は発光素子および該発光素子の発光を前記原稿面に案内する導光手段を備え、該導光手段は屈折率Ｎ１の母部材および該母部材の傾斜する側面に設けられ、原稿面に向けて上方に広がる複数のガイド溝と、その傾斜する側面の下端部においてこれら複数のガイド溝に連通する共通溝、並びにこれらガイド溝と共通溝に充填された屈折率Ｎ１より大なる屈折率を有する拡散用透光部材により構成され、前記共通溝内に発光素子が配置されることを特徴とする画像読取装置。
【請求項２】
前記発光素子は光源基板に搭載され、その光源基板は前記発光素子が実装された状態で、前記拡散用透光部材の充填に先立って前記母部材に取り付けられることを特徴とする請求項１に記載の画像読取装置。
【請求項３】
前記母部材は６の辺のうちで上方に２辺が凹形状をなす変則６角形の断面を有する角柱の形状をなし、前記角柱の長さ方向に沿って垂直に立ち上がる側面には垂直方向に平行なガイド溝が設けられ、前記垂直に立ち上がる側面の反対側で斜めに立ち上がる側面には下方から上方に向かって放射状に広がる複数のガイド溝が設けられていることを特徴とする請求項１に記載の画像読取装置。
【請求項４】
屈折率Ｎ１である透光材よりなるスペーサが前記母部材の垂直に立ち上がる側面に接合された後、画像読取装置の外装ケースの内側の窪みに設けられたスペーサ位置決め用窪みに挿入接合されることを特徴とする請求項１に記載の画像読取装置。
【発明の詳細な説明】
【０００１】
【発明の属する技術分野】
本発明はコンピュータ、ファクシミリ、複写機等の入力装置として、原稿の画像を読み取る画像読取装置に関する。
【０００２】
【従来の技術】
画像読取装置は画像の入力装置として、操作性、汎用性に優れ、近年ＯＡ機器、情報機器等の分野で広く用いられている。特に近年、家庭用ファクシミリ装置の需要が高まり、これに用いられる画像読取装置として小型で使い易いものが要求されているところから光源に発光ダイオード（以下「ＬＥＤ」という。）アレイを用いた密着型画像読取装置が普及しつつある。図８は従来のかかる密着型画像読取装置の断面図であり、その概要を説明する
【０００３】
図９に示すように、密着型画像読取装置は光電変換を行うセンサー画素が複数配列された原稿読取受光素子２１と、保護膜２２と、これが実装された基板２３とからなる成る受光素子アレイ２４と、原稿を照射する線状光源であるＬＥＤアレイ２５と、原稿２９の像を受光部である前記受光素子アレイ２４に結像するレンズアレイ２６と、原稿２９を載置する透明板２７と、これらの部材を支持する外装ケース２８より構成されている。
【０００４】
上記密着型画像読取装置における動作は、ＬＥＤアレイ２５により原稿面を照射し、前記原稿面の読み取りライン上の拡散反射光をレンズアレイ２６により受光素子アレイ上に結像し、前記反射光のもつ原稿２９の濃淡情報、即ち光の強弱を受光素子アレイ２４における個々のセンサー画素が電気信号に変換し、シリアル又はパラレルの信号出力として読み取りラインごとに送り出す。そして、前記原稿２９とセンサー画素列との相対位置をラインと垂直方向に移動させて、前記ラインごとのデータ送出を繰り返すことにより、２次元画像情報を時系列電気信号に変換する。
【０００５】
しかしながら、前述の密着型画像読取装置には次のような問題がある。その一つは、光源に関する問題である。すなわち、読み取り精度を上げるため、ＬＥＤアレイ２５のＬＥＤの数を多くし、密に配列することにより、その照明する原稿面の照度を実質的に均一化するようにすると、ＬＥＤの使用個数が多いため部品費が高くなり、コストの低減が困難となる。
【０００６】
問題点の他の一つは、レンズアレイに関する問題である。すなわち、レンズアレイ２６としては従来、ロッドレンズアレイを配列して結合する構成のものであり、読み取り精度を上げるためには、ロッドレンズが屈折率を特定の関数で分布させた特殊な材料であることを要するため、ロッドレンズアレイよりなるイメージガイド部材のコストの低減が困難となる。
【０００７】
問題点の更に他の一つは、光源であるＬＥＤアレイ２５とレンズアレイ２６に関する組立の問題である。すなわち、従来は外装ケース８に対しＬＥＤアレイ２５、レンズアレイ２６および受光素子アレイ２４をそれぞれ別個に組み付けていた。そのため、これらの部品の寸法誤差および組み付け誤差により、原稿面の照明光のラインとレンズアレイのラインとのずれおよびレンズアレイのラインと受光素子アレイのずれを生ずる。これらのラインのずれにより、受光素子に入射する光の均一性が低下し、読み取り精度が低下する。又は、受光素子に入射する光の均一性を高く維持するには、ラインを精度よく整合させるため組立に時間と手間がかかり、製造コストの上昇を招く傾向がある。
【０００８】
本願は上記３つの問題点を解決することを課題とするものであり、本願の発明は、かかる課題を解決し、読み取り精度の高い画像読取装置、特に密着型画像読取装置を低い製造コストにおいて提供することを目的とする。
【０００９】
【課題を解決するための手段】
上記課題を解決するための第１の手段としては、原稿面をライン状に照明する照明手段、前記照射された原稿面からの反射光を結像する集光手段、前記結像された光を受光して光電変換するライン状に配列した複数の受光素子を有し、原稿面の画像データを受光素子への光入力により検知する画像読取装置において、前記照明手段は発光素子および該発光素子の発光を前記原稿面に案内する導光手段を備え、該導光手段は屈折率Ｎ１の母部材および該母部材の傾斜する側面に設けられ、原稿面に向けて上方に広がる複数のガイド溝と、その傾斜する側面の下端部においてこれら複数のガイド溝に連通する共通溝、並びにこれらガイド溝と共通溝に充填された屈折率Ｎ１より大なる屈折率を有する拡散用透光部材により構成され、前記共通溝内に発光素子が配置されることを特徴とする。
【００１０】
上記課題を解決するための第２の手段としては、前記第１の手段において、前記発光素子は光源基板に搭載され、その光源基板は前記発光素子が実装された状態で、前記拡散用透光部材の充填に先立って前記母部材に取り付けられることを特徴とする。
【００１１】
上記課題を解決するための第３の手段としては、前記第１の手段において、前記母部材は６の辺のうちで上方に２辺が凹形状をなす変則６角形の断面を有する角柱の形状をなし、前記角柱の長さ方向に沿って垂直に立ち上がる側面には垂直方向に平行なガイド溝が設けられ、前記垂直に立ち上がる側面の反対側で斜めに立ち上がる側面には下方から上方に向かって放射状に広がる複数のガイド溝が設けられていることを特徴とする。
【００１２】
上記課題を解決するための第４の手段としては、前記第１の手段において、屈折率Ｎ１である透光材よりなるスペーサが前記母部材の垂直に立ち上がる側面に接合された後、画像読取装置の外装ケースの内側の窪みに設けられたスペーサ位置決め用窪みに挿入接合されることを特徴とする。
【００１６】
【発明の実施の形態】
以下図面に基づいて本発明の好適な実施の形態の一つである実施例について説明する。図１は本実施例に係る密着型画像読取装置の構成を示す断面図でり、図２は図１のＡーＡ断面図であり、図３は図１に示す画像読取装置の要部である光路変換ユニットを示す斜視図である。１は屈折率ｎ１の母部材２および該母部材２に設けられた拡散用透光部材３および集光用透光部材４を有する光路変換ユニットである。拡散用透光部材３および集光用透光部材４は共に前記ｎ１に対し、ｎ２＞ｎ１なる関係を有する屈折率ｎ２の透光材よりなっている。集光用透光部材４の各柱状レンズの光入力端および光出力端にそれぞれ凸レンズ４ｂ１および４ｂ２が設けられている。１１は原稿１０を載置する透明板である。遮光材よりなる外装ケース１２はスぺーサ１３を介して光路変換ユニット１を保持するとともに、直接に透明板１１を支持する。後述する発光素子７および光源基板８は光路変換ユニット１に取付けられ、受光素子アレイ９は外装ケース１２の内側の底面において、集光素子４と対向する位置に配置されている。
【００１７】
母部材２は６の辺のうちで上方に２辺が凹形状をなす変則６角形の断面を有する角柱の形状をなし、前記角柱の長さ方向に沿って垂直に立ち上がるな側面２ｂには垂直方向に平行な複数のガイド溝５ｂが設けられ、該ガイド溝５ｂ内に集光用透光部材４が充填されている。前記垂直に立ち上がる側面２ｂの反対側で斜めに立ち上がる側面２ａには下方から上方に向かって放射状に広がる形で複数のガイド溝５ａが設けられ、側面２ａの下端中央およびその近傍には前記複数のガイド溝５ａと共通に連通する共通溝６が設けられている。共通溝６の内部にはＬＥＤからなる発光素子７が配置され、共通溝６およびガイド溝５ａには発光素子７を被うようにして、拡散用透光部材３が充填されている。母部材２の下面で側面２ａに隣接する部分には発光素子７を保持する光源基板８が取付けられている。光源基板８には発光素子７であるＬＥＤの図示しない電極と導通する図示しない配線が設けられている。光源基板８は発光素子７が実装された状態で、拡散用透光部材３の充填に先だって、母部材２に接着等により取付けられる。
【００１８】
スペーサ１３は屈折率が前記ｎ１である透光材よりなり、母部材の側面２ｂに接合された後、外装ケース１２の内壁に設けられたスペーサ位置決め用窪み１２ａに挿入され接合される。受光素子アレイ９は光電変換を行うフォトトランジスタ等からなるセンサー画素１５が複数配列された原稿読取受光素子１６と、保護膜１７と、これが実装された受光基板１８とからなる成る。受光基板１８は外装ケース１２の内側の底面に設けられた受光基板位置決め用窪み１２ｂａに挿入され、前記原稿読取受光素子１６のラインと、前記集光用透光部材４の配列ラインの位置が垂直方向に一致または略一致する位置おいて、接合固定される。母部材２の上側の端面でガイド溝５ａ、５ｂ以外の部分およびスペーサ１３の上端の露出した部分には塗料等よりなる遮光膜１４が設けられている。
【００１９】
本例の画像読取装置の動作につき説明する。図示しない光源駆動回路から光源基板８に設けられた前記配線を通じてＬＥＤからなる発光素子７の電極に駆動電圧を印加すると発光素子７は点灯し、ＬＥＤの種類に応じてＲ、Ｇ、Ｂのいずれか１色の光を発光する。図４は発光素子７であるＬＥＤの指向特性を示す図である。発光主面７ａの方向では強く、側面７ｂの方向に行くに従って弱くなる傾向がある。この傾向は図３の面に垂直な方向についても同様である。共通溝内６において、発光素子７からの発光の極く一部は拡散用透明部材３の表裏の界面を透過して空気中又は母部材２中に放射されるが、それ以外の光は直接に又は前記表裏の界面での反射を経て図３に示す指向特性にほぼ従ってガイド溝５ａに向かって発光が広がって行き、大部分の光がガイド溝５ａに入り込む。ガイド溝５ａに入り込んだ光は母部材２と拡散用透光部材３の界面をなすガイド溝５ａの側面および前記表裏の界面において、一部が透過し一部が反射する。
【００２０】
すなわち、拡散用透光部材３の側面及び裏側の界面においては相対的臨界角θ１は前記屈折率ｎ１とｎ２により決まり、θ１＝ｓｉｎー1（ｎ１／ｎ２）となり、表の空気との界面においては固有の臨界角θ０はｎ２により決まり、θ０＝ｓｉｎー1（１／ｎ２）となる。本例においては母部材２はアクリルであって、ｎ１＝１．４９、拡散用透光部材３はアクリル系樹脂であって、ｎ２＝１．５３であり、従って上記の関係から母部材２との界面の臨界角θ１はθ１＝ｓｉｎー1（
１．４９／１．５３）＝７６．９°であり、空気との界面の臨界角θ０はθ０＝ｓｉｎー1（１／１．５３）＝４０．８°である。ガイド溝５ａの拡散用透光部材３内に入り込んだ光の一部は前記側面の界面および表裏の界面のいずれをも経ることなく拡散用透光部材３の上端の界面から外部に射出される。これ以外の光は１回は前記界面に入射する。
【００２１】
このとき入射角（界面の法線に対する角度）θが界面の臨界角（θ１又はθ０）よりも小であるときは一部が通過し、一部が反射する。入射角θが前記臨界角と等しいか又は大であるときは光の全部が反射する。拡散用透光部材３の前記の表裏および側部の界面は図２に示すように入射光にほぼ沿った形となっているので前記界面に対する入射角９０度に近い場合が多く、大部分は当該界面の臨界角７６．９°又は７６．９°を越える角度で入射し前記界面を透過することなく１回又は複数回の反射の後に拡散用透光部材３の上端の界面から外部に射出される。拡散用透光部材３の各分岐部分は上端に近付くに従って幅が広くなり、上端部は互いに近接してライン状に配列されているので、発光素子７の発光は効率よく線状の光束に変換されて、拡散用透光部材３の上端面から外部に射出される。
【００２２】
拡散用透光部材３の各分岐に入射する光線の密度と出射する光線の密度の比率はその分岐の入射部の幅と出射部の幅の比に逆比例する関係にある。一方、発光素子７の指向特性により、各分岐の入射部における光線の密度は中央部の分岐が高く、両端部の分岐に行くに従って低下する傾向にある。従って、例えば、各分岐の入射部の幅を等しくとった場合に、出射部の幅については、中央部の分岐において広く、両端部に行くに従ってそれよりも狭くなるような適切な寸法とすれば、発光素子７の指向性が補正され、拡散用透光部材３の上端面から外部に射出される前記線状の光束の光線の密度は均一となり、明るさは均一となる。これとは逆に、各分岐の出射部の幅を等しくとり、入射部の寸法については中央部の分岐において狭く、両端部に行くに従ってそれよりも広くなるような適切な寸法とした場合も同様の効果が得られる。
【００２３】
このようにして１個の発光素子７を用いて、拡散用透光部材３の上端面から明るさの均一な線状の光束よりなる光を射出することができる。この線状の光束よりなる光は透明板１１の上に載置された原稿１０の面を照射し、原稿面上の読み取りライン上の拡散反射光を母部材２の垂直に立ち上がる側面２ｂにライン方向に配列された複数の柱状のレンズよりなる集光用透光部材４に入射する。ここで図３に示すように母部材２の側面２ｂに設けられた集光用透光部材４の配列ラインは母部材２の側面２ａに設けられた拡散用透光部材３の配列ラインと平行に設けられている。そして、拡散用透光部材３からの出射光の照射による原稿面上の照射ラインは本来、拡散用透光部材３の配列ラインに平行であり、又、原稿面上の読み取りラインは集光用透光部材４の配列ラインと平行である。よって、原稿面上の前記照射ラインと読み取りラインは平行となる。本例においては、照射ラインの幅は読み取りラインの幅より多少広くなっており、照射ラインの領域の中に読み取りラインの領域が入るようになっている。
【００２４】
照射ラインの領域においては、前述のように明るさの均一な照明がなされるので、原稿面上の読み取りラインの領域の拡散反射光は均一の条件で集光用透光部材４の配列ラインに入射する。すなわち、読み取りラインの領域内の原稿９の濃淡情報を均一の条件で光の強弱に変換して、前記凸レンズ４ｂ１を通って集光用透光部材４の配列ラインに入射する。
【００２５】
集光用透光部材４の配列ラインに入射した光は、集光用透光部材４を構成する各柱状レンズにおいて、一部はその側部の界面を経ることなく、入射と反対側に出射するが、大部分はすで説明したのと同様の原理により、その側部の界面における１回又は複数回の反射を経て入射と反対側に凸レンズ４ｂ２を経て出射する。
【００２６】
集光用透光部材４の配列ラインの各柱状レンズから凸レンズ４ｂ２を経て出射した光は前記の受光素子アレイ９の対応するセンサー画素１５に入射して結像する。本例においては集光用透光部材４と原稿面およびセンサ画素の間はある程度離れているが、凸レンズ４ｂ１、４ｂ２を設けることにより、入射端および出射端から離れたところで焦点を結び、原稿面の画像をぼけがないようにセンサー画素１５に結像することができる。前記焦点の位置は凸レンズ４ｂ１、４ｂ２の曲率を適宜選択することにより、適切な位置に合わせることができる。かかるレンズアレイにおいては、配列方向のレンズのピッチを小さくして行き、センサー画素１５の配列ピッチと同じか又は小とすることにより、結像の分解能をセンサー画素１５の配列ピッチで決まる所定のレベルにまで高めることができる。なお、レンズアレイのピッチを更に小さくし、１個のセンサー画素１５に対し複数の柱状レンズが対応するような構成とすると、分解能の限界そのものは変わらないが、センサー画素１５に対する柱状レンズの位置合わせに多少の誤差があっても、所定の分解能を確保することができるので有利である。本例においては、図２に示すように、集光用透光部材４の前記柱状レンズはその配列ライン方向におけるピッチが前記センサー画素１５の配列ピッチよりも小となるように構成されている。本例においては、前記柱状レンズは成形型等を用いて母部材２に形成された溝ｂに透光部材が充填されて形成されるので、配列ライン方向の幅およびピッチを必要に応じ小さくすることは容易にできる。
【００２７】
前記センサー画素１５における結像の明るさに対応して各センサー画素１５は電気信号出力する。これにより、前記原稿面上の読み取りラインの領域の反射光のもつ原稿１０の濃淡情報、即ち光の強弱を受光素子アレイ９における個々のセンサー画素１５が電気信号に変換し、シリアル又はパラレルに信号出力として読み取りラインごと図示しない信号出力端から出力する。そして、前記原稿１０とセンサー画素１５の列との相対位置をラインと垂直方向に移動させて、前記ラインごとのデータ送出を繰り返すことにより、２次元画像情報を時系列電気信号に変換する。かかる画像情報の電気信号への変換の原理は公知のものと同様である。
【００２８】
本例においては、上述のように、原稿１０の面における読み取りラインの領域内の原稿１０の濃淡情報を均一の条件で光の強弱に変換して、集光用透光部材４の配列ラインに入射し、入射した光が集光用透光部材４に導かれて、十分な分解能をもってセンサー画素に結像するので、画像情報が正確に電気信号に変換されるので、従来と同等又はそれ以上の画像データの再現性を備えることができる。
【００２９】
なお、図示は省略するが、原稿面と前記集光用透光部材４がかなり近接している場合は前記光入力端の凸レンズ４ｂ１を省略することができ、センサー画素と前記集光用透光部材４がかなり近接している場合は前記光出力端の凸レンズ４ｂ２を省略することができる。これは、集光用透光部材４の各柱状レンズそのものは光ファイバーと同様に集光作用はないが、ギャップがゼロに近い場合は光の拡散による画像情報のぼけ、分解能の低下が許容できる程度となるからである。
【００３０】
又、集光用透光部材４および拡散用透光部材３において、凸レンズ等の集光レンズを別途設けなくても、透光部材の屈折率を場所により変化させることにより、集光性を付与することができる。図５は透光部材内部におけるかかる集光作用を示す原理図である。２０は集光用透光部材４又は拡散用透光部材３に相当する透光部材であり、２０ａは屈折率ｎａの部分、２０ｂは屈折率ｎｂの部分であり、
ｎｂ＞ｎａの関係がある。部分２０ａと２０ｂの界面２０ｄは光の射出面２０ｃに対し中央部が突き出した形で傾斜している。界面２０ｄに対しその法線ＮＳに角度α１で入射した光線ｓ１は屈折して、この法線ＮＳに対し前記α１より大きい角度α２をなす光線ｓ２になり、部分２０ａを通過して外部に射出する。もし、透光部材２０が部分２０ｂのみのときは光線ｓ１は仮想線ｓ３の方向に進む。光線ｓ２は仮想線ｓ３に比べ内側に屈折していることがわかる。このように、界面２０ｄのレンズ効果により集光作用がなされる。上記のような部分的な屈折率の変化は添加剤の部分的な混入等により、実現することができる。
【００３１】
拡散用透光部材３の光の出射部においてこのような原理により厚み方向又は幅方向の光の拡散を防止し、原稿面上の必要な場所に効率よく、照度の高い前記照射ラインを照射することができる。
【００３２】
以上に述べたように、本実施例においては、原稿面照明用の光学手段である拡散用透光部材３と原稿面からの反射光を集光する光学手段である集光用透光部材４が共に共通の母部材２に形成され、一体として光路変換ユニット１が構成される。これにより、部品点数が減少し、部品の製造および組立の手間が低減されるとともに、拡散用透光部材３と集光用透光部材４の間の相対的な位置精度が光路変換ユニット１として確保されているので、組立の際に特別の調整をすることなく、集光用透光部材４の配列位置によって決まる原稿面における読み取りラインに対し、拡散用透光部材３の配列位置によって決まる原稿面における照明ラインを正しい位置関係で重ね合わせることができるので、原稿１０の濃淡情報を正しく反射光の強弱に変換して集光用透光部材４に入力することができ、画像読み取りの性能を高めることができる。
【００３３】
次に、原稿面に対する照明手段について言えば、すでに説明したように、１個の発光素子と拡散用透光部材３を組み合わせることにより、原稿面上に多数の発光素子を用いた従来の照明手段と同等又はそれ以上に均一な明るさの照明ラインを照射することができる。又、拡散用透光部材３は、母部材２の成型と同時に型等により形成されたガイド溝５ａに透光材を充填することにより、形成することができるので、光ファイバー等を用いた従来の光拡散手段に比し、製造コストの低減ができる。以上の理由により、本例の照明手段については従来よりも大幅にそのコストを低減することができる。
【００３４】
次に、原稿面からの反射光を集光する光学手段である集光用透光部材４についていえば、すでに説明したように、前記拡散用透光部材３と同様の方法により形成することができ、その構成要素である柱状レンズのピッチを小さくすることができるので、従来のロッドレンズアレイ等の集光光学手段に比して大幅なコストダウンができるとともに、画像読み取りの分解能を向上させる上で有利となる。
【００３５】
以下図面に基づいて本発明の好適な実施の形態の他の一つである実施例について説明する。図６は本実施例に係るフルカラー用の密着型画像読取装置における構成の一部を示す斜視図である。２は図１と同様の母部材であり、図２ａも同様の斜めに立ち上がる母部材の側面である。側面２ａには下方から上方に向かって放射状に広がる形で複数のガイド溝５ａが設けられ、側面２ａの下端中央およびその近傍には前記複数のガイド溝５ａと共通に連通する共通溝６が設けられている。共通溝６の内部にはＲ、Ｇ、ＢのＬＥＤが１個ずつ重なり合って発光素子７として配置され、共通溝６およびガイド溝５ａには発光素子７を被うようにして、拡散用透光部材３が充填されている。母部材２の下面で側面２ａに隣接する部分には発光素子７保持する光源基板８が取付けられている。光源基板８には発光素子７であるＲ、Ｇ、ＢのＬＥＤの図示しない電極の各々とそれぞれ導通する図示しない配線が設けられている。その他の構成については、図１に示した実施例と同様である。
【００３６】
本例の動作につき説明する。図示しない光源駆動回路から光源基板８に設けられた前記配線を通じて発光素子７のＲ、Ｇ、ＢのＬＥＤの電極に時分割で順次駆動電圧を印加するとＲ、Ｇ、ＢのＬＥＤは１色ごとに順次点灯する。そして原稿稿面上の同一の読み取りラインをカバーする照射ラインをすでに述べたのと同様の原理により、各色ごとに順次形成し、各色毎の拡散反射光を同様の原理によりセンサー画素に入射、結像して前記原稿面上の読み取りラインの領域の反射光のもつ原稿１０の各色別の濃淡情報、即ち各色別の光の強弱を受光素子アレイ９における個々のセンサー画素１５が色別に時分割的に順次電気信号に変換し、シリアル又はパラレルに信号出力として読み取りラインごと図示しない信号出力端から出力する。
【００３７】
そして、その読みとりラインにおけるＲ、Ｇ，Ｂすべての出力が終了した後、前記原稿１０とセンサー画素１５の列との相対位置をラインと垂直方向に移動させて、前記ラインごとのデータ送出を繰り返すことにより、２次元のフルカラー画像情報を時系列電気信号に変換する。かかる画像情報の電気信号への変換の原理は公知のものと同様である。本例においては、ＬＥＤの数は３個で、フルカラー用の密着型画像読取装置としては、ＬＥＤの数を低減させることができる。その他、図１に示した実施例と同様の長所を有する。
【００３８】
以上に述べてきた実施例においては、共通の母部材２にガイド溝５ａ、５ｂを設けてこれらに透光部材を充填し、前記光路変換ユニット１が構成されていたが、本発明はこれに限らず、図７に示すように別々の母部材２にそれぞれガイド溝５ａ、５ｂを形成し、照明手段部１ａと集光手段部１ｂこれらに透光部材を充填して照明手段部１ａと集光手段部１ｂを別々に構成した後に、該照明手段部１ａと集光手段部１ｂをを接合して光路変換ユニット１を構成することもできる。更に、照明手段部１ａを単独で原稿照明手段として別個の画像読取装置に使用しても、コスト低減の効果が得られる。集光手段部１ｂについても同様である。
【００３９】
本発明は更に図８に示すように光路変換ユニット１の集光用透光部材４の下側において共通の母部材２に位置決め用のスリット部２ｄを設け、該スリット部２ｄに受光素子アレイ基板１８を収納、位置決めする構成のものを適用することもできる。本例においては、同一母材に、拡散用透光部材３、集光用透光部材４、及びセンサー画素１５を搭載する受光素子アレイ基板１８が設けられるので、これらの位置関係を精度よく設定することができるとともに、図示しないケースへの組み付けも調整なしにできるので容易となる。又、本例においては、センサー画素１５と集光用透光部材４とが近接しているため、前記光出力端の凸レンズ４ｂ２を省略することができる。
【００４０】
【発明の効果】
以上説明したように本発明によれば、読み取り性能に優れた画像読取装置を低い製造コストにおいて提供することができる。
【図面の簡単な説明】
【図１】本発明の実施の形態の一つである画像読取装置の構成を示す断面図である。
【図２】図１のＡーＡ断面図である。
【図３】図１に示す画像読取装置の要部の構成を示す斜視図である。
【図４】図１に示す画像読取装置の光源の発光素子の発光の指向性を示す図である。
【図５】透光部材内における集光作用を示す原理図である。
【図６】本発明の実施の形態の一つである画像読取装置の要部の構成を示す斜視図である。
【図７】本発明の実施の形態の一つである画像読取装置の要部の構成を示す斜視図である。
【図８】本発明の実施の形態の一つである画像読取装置の要部の構成を示す斜視図である。
【図９】従来の画像読取装置の構成を示す断面図である。
【符号の説明】
１  光路変換ユニット
２  母部材
３  拡散用透光部材
４  集光用透光部材
４ｂ  凸レンズ
５  ガイド溝
７  発光素子
１０  原稿
１５  センサー画素
１６  原稿読取受光素子
【図１】
0003932068.tif 000002
【図２】
0003932068.tif 000003
【図３】
0003932068.tif 000004
【図４】
0003932068.tif 000005
【図５】
0003932068.tif 000006
【図６】
0003932068.tif 000007
【図７】
0003932068.tif 000008
【図８】
0003932068.tif 000009
【図９】
0003932068.tif 000010